(57)【特許請求の範囲】
【請求項１】
目地部を介して設けられた上下部の躯体の内の下部躯体の目地部側の外側端部に外側部の上面が下部に位置する傾斜面となるように取付けられた水切カバーと、前記上下部の躯体の内の上部躯体に上端部が取付けられ、下端部が前記水切カバーの外側端部と密着して、前記目地部内への水や風の侵入を阻止する第１の防水手段と、この第１の防水手段の内側部位の前記上部躯体に上端部が取付けられ、下端部が前記水切カバーの上面に弾性的あるいは重りの自重で密着して、前記目地部内への水や風の侵入を阻止する第２の防水手段とからなる目地カバー装置。
【請求項２】
第１の防水手段は弾性を有するゴムあるいは合成樹脂材で形成された防水シートあるいは弾性を有するマグネットシートであることを特徴とする請求項１記載の目地カバー装置。
【請求項３】
第２の防水手段は弾性を有するゴムあるいは合成樹脂材で形成された防水シートあるいは下端部が水切プレートの上面にわずかな遊びを有するように密着するほぼＵ字状あるいはＪ字状に上部躯体に取付けられたゴムあるいは合成樹脂材製の防水シート、この防水シート内に位置され、自重で該防水シートを水切プレートに密着させる棒状の重りとで構成されたものであることを特徴とする請求項１、２いずれかに記載の目地カバー装置。
【請求項４】
上下部の躯体の下部の躯体は目地部を介して設けられた左右の建物の低い方の建物の上部のパラペットで、上部の躯体は前記左右の建物の高い方の建物の屋上部より前記パラペットの上部へ突出する屋上用目地カバーであることを特徴とする請求項１ないし請求項３いずれかに記載の目地カバー装置。
【請求項５】
上下部の躯体の下部の躯体は免震装置が介装された下部位置の躯体で、上部躯体は免震装置が介装された上部位置の躯体であることを特徴とする
請求項１ないし請求項３いずれかに記載の目地カバー装置。
【請求項６】
上下部の躯体の下部の躯体は免震装置が設けられた上部の天上材であり、上部躯体は前記下部躯体とは接続しない状態で設けられた屋根であることを特徴とする請求項１ないし請求項３いずれかに記載の目地カバー装置。
【発明の詳細な説明】
【技術分野】
【０００１】
本発明は目地部を介して設けられた上下部の躯体間を覆い、目地部内へ水や風が侵入阻止する目地カバー装置に関する。
【背景技術】
【０００２】
従来、この種の目地カバー装置は目地部を介して隣接する建物の低い方の建物の目地部側のパラペットの上面に所定間隔で固定された複数個の取付金具と、この複数個の取付金具に固定された外側部が上方に位置する傾斜面の上面を有するパラペットの上面を覆う水切カバーと、この水切カバーの上部に先端部が位置するように、前記高い方の建物の目地部側の壁面に所定間隔で上下方向に回動するように取付けられた複数個の目地カバー取付金具と、この複数個の目地カバー取付金具の先端部寄りの部位に形成された、地震等によって前記目地部の寸法が伸縮する方向に長い長孔と、前記複数個の目地カバー取付金具の長孔に挿入され、該目地カバー取付金具の前後左右方向の移動を吸収できるように支持する前記水切カバーあるいは前記複数個の取付金具に取付けられた支持金具と、前記複数個の目地カバー取付金具に固定された前記目地部を覆う目地カバーと、この目地カバーの先端部と前記水切カバーの外側部との間を伸縮可能に覆うシートとで構成されている。
【０００３】
このように構成された目地カバー装置は目地部内への風や水の侵入を阻止することができるが、大きな寸法の防水シートを用いるため、コスト高になるとともに、建物が地震で揺れ動くと大きな寸法の防水シートがパラペットの内側へ垂れ下がり、見苦しくなったり、水切プレート上へ防水シートを戻したりする補修作業が必要になるという欠点があった。
【先行技術文献】
【特許文献】
【０００４】
【特許文献１】特許第３１６０５５９号公報
【発明の概要】
【発明が解決しようとする課題】
【０００５】
本発明は以上のような従来の欠点に鑑み、目地部内への風や水が侵入するのを確実に阻止することができるとともに、地震で左右の建物が揺れ動いても、揺れ動きが停止すると元の状態へ自動的に戻り、補修作業が不要で、かつ構造が簡単で、容易に設置することができる目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた上下部の躯体の内の下部躯体の目地部側の外側端部に外側部の上面が下部に位置する傾斜面となるように取付けられた水切カバーと、前記上下部の躯体の内の上部躯体に上端部が取付けられ、下端部が前記水切カバーの外側端部と密着して、前記目地部内への水や風の侵入を阻止する第１の防水手段と、この第１の防水手段の内側部位の前記上部躯体に上端部が取付けられ、下端部が前記水切カバーの上面に弾性的あるいは重りの自重で密着して、前記目地部内への水や風の侵入を阻止する第２の防水手段とで目地カバー装置を構成している。
【発明の効果】
【０００８】
以上の説明から明らかなように、本発明にあっては次に列挙する効果が得られる。
（１）請求項１により、第１の防水手段と第２の防水手段とで上下部の躯体間の目地部内に水や風が浸入するのを確実に防止することができる。    
（２）前記（１）により、第１の防水手段と第２の防水手段とが地震で上下部の躯体が揺れ動き、停止すると、元の状態に自動的に戻るので、見苦しくなったり、補修作業が不要で、維持コストの低減を図ることができる。
（３）前記（１）により、上部の躯体と下部の躯体の水切プレートとの間を上下方向で覆う第１の防水手段と第２の防水手段を用いているので、従来の上部躯体の先端部とパラペットの目地部側の端部より上方へ突出する取付金具との間の左右方向に設けるものに比べ、小さな幅寸法の材料を用いることができ、取扱いが容易で、安価に設置することができる。
（４）請求項２も前記（１）〜（３）と同様な効果が得られる。
（５）請求項３も前記（１）〜（３）と同様な効果が得られるとともに、Ｕ字状あるいはＪ字状の防水シートおよび棒状の重りとからなる第２の防水手段を用いているので、確実に風や水の浸入を阻止することができるとともに、地震の揺れ動き後に確実に元の状態へ戻すことができる。
【図面の簡単な説明】
【０００９】
【図１】本発明を実施するための第１の形態の使用状態の説明図。
【図２】図１の２−２線に沿う断面図。
【図３】本発明を実施するための第１の形態の正面図。
【図４】図１の４−４線に沿う断面図。
【図５】本発明を実施するための第１の形態の水切カバーが外方へ突出した状態の動作説明図。
【図６】本発明を実施するための第１の形態の水切カバーが内側へ移動した動作説明図。
【図７】本発明を実施するための第１の形態の上下方向の目地部が広くなった動作説明図。
【図８】本発明を実施するための第１の形態の上下方向の目地部が狭くなった動作説明図。
【図９】本発明を実施するための第２の形態の平面図。
【図１０】図９の１０−１０線に沿う断面図。
【図１１】図９の１１−１１線に沿う断面図。
【図１２】本発明を実施するための第３の形態の平面図。
【図１３】図１２の１３−１３線に沿う断面図。
【図１４】図１２の１４−１４線に沿う断面図。
【図１５】本発明を実施するための第４の形態の平面図。
【図１６】図１５の１６−１６線に沿う断面図。
【図１７】本発明を実施するための第４の形態の防水手段の説明図。
【図１８】本発明を実施するための第５の形態の平面図。
【図１９】図１８の１９−１９線に沿う断面図。
【図２０】本発明を実施するための第５の形態の目地カバー取付金具の説明図。
【図２１】本発明を実施するための第６の形態の平面図。
【図２２】本発明を実施するための第６の形態の正面図。
【図２３】本発明を実施するための第６の形態の要部拡大断面図。
【図２４】本発明を実施するための第７の形態の平面図。
【図２５】本発明を実施するための第７の形態の正面図。
【図２６】本発明を実施するための第７の形態の要部拡大断面図。
【図２７】本発明を実施するための第８の形態の平面図。
【図２８】本発明を実施するための第８の形態の正面図。
【図２９】本発明を実施するための第８の形態の要部拡大断面図。
【発明を実施するための形態】
【００１０】
以下、図面に示す本発明を実施するための形態により、本発明を詳細に説明する。
【００１１】
図１ないし図８に示す本発明を実施するための第１の形態において、１は一方の建物２の下部躯体３である屋上のパラペット４の上部および、該一方の建物２と目地部５を介して設けられた一方の建物２より高い他方の建物６の前記パラペット４より上方の上部躯体８としての外壁７との間を覆う本発明の目地カバー装置で、この目地カバー装置１は前記下部躯体３であるパラペット４の上面に所定間隔で固定された複数個の取付金具９と、この複数個の取付金具９に固定された外側である前記目地部５側が上方に位置する上面が傾斜面１０になる前記パラペット４の上面を覆う水切カバー１１と、この水切カバー１１の上部に先端部が位置するように前記他方の建物６の外壁７に所定間隔で固定された複数個の目地カバー取付金具１２、この複数個の目地カバー取付金具１２を覆うように、該複数個の目地カバー取付金具１２に取付けられた目地カバー本体１３とからなる上部躯体８と、この上部躯体８の目地カバー本体１３の先端部に上端部が固定状態で取付けられ、下端部が前記水切カバー１１と密着する弾性力を有する、水や風の前記目地部内への侵入を阻止する第１の防水手段１４と、前記上部躯体８の複数個の目地カバー取付金具１２の先端部寄りに形成した取付板１５に該複数個の目地カバー取付金具１２の底面全体の目地部を覆うカバー板１６を介して上端部が取付けられ、下端部が前記水切カバー１１と密着して水や風の目地部内への侵入を阻止する第２の防水手段１７と、前記水切カバー１１の目地部側に先端部が前記カバー板１６と密着して水や風の浸入を阻止するように取り付けられた第３のゴムあるいは合成樹脂材製の防水シート４６とで構成されている。
【００１２】
なお、本発明の実施の形態では前記複数個の目地カバー取付金具１２の底面全体の目地部を覆うカバー板１６を用いたが、本発明はこれに限らず、前記複数個の目地カバー取付金具１２の先端部寄りに形成した取付板１５よりも前方部位の空間を覆うものであってもよい。この場合には防水シート４６の設置は不要となる。
【００１３】
また、当然ながら目地カバー本体１３の両端部にはカバープレート４７や壁用目地装置４８が設置されている。このカバープレート４７や壁用目地装置４８は目地部５内に水や風が入り込まない構造のものであればどんな構造のものであってもよい。
【００１４】
前記第１の防水手段１４は前記上部躯体８の目地カバー本体１３の先端部に複数本のビス１８で上端部が固定され、下端部が前記水切カバー１１の外側面１１ａと弾性的あるいは磁力で吸着されるように当接するゴムあるいは合成樹脂材製の防水シートあるいは弾性を有するマグネットシート１９で構成されている。
【００１５】
前記第２の防水手段１７はＵ字状に曲げられた弾性を有するゴムあるいは合成樹脂材で形成された防水シート２０の両端部が前記複数個の目地カバー取付金具１２の取付板１５にカバー板１６を介して複数本のビス１８で固定され、少しの遊びを介して前記水切カバー１１の上面に自重で密着する下部内に設けられた棒状の重り２１とで構成されている。
【００１６】
なお、棒状の重り２１はパイプ材、あるいは筒状のチューブ内に水や砂等の重量物質を入れたものであってもよい。
【００１７】
上記構成の目地カバー装置１は、下部躯体３に固定された水切カバー１１と上部躯体８の目地カバー本体１３との間には第１の防水手段１４と第２の防水手段１７が介装されているため、目地部５内への水や風の侵入を阻止することができる。
【００１８】
また、  台風時でも第１の防水手段１４と第２の防水手段１７によって、目地部５内への水や風の侵入を阻止することができる。
【００１９】
地震によって下部躯体３と上部躯体８とが揺れ動いても、第１の防水手段１４が曲がったり、第２の防水手段１７の下部が水切カバー１１上をスライド移動して、その揺れ動きが停止すると、元の状態へ第１の防水手段１４および第２の防水手段１７が自動的に位置し、補修したりすることなく、使用し続けることができる。    
【００２０】
[発明を実施するための異なる形態]
次に、図９ないし図２９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図９ないし図１１に示す本発明を実施するための第２の形態において、前記本発明を実施するための第１の形態と主に異なる点は、防水シート２０の一端部を複数個の目地カバー取付金具１２の取付板１５にカバー板１６を介して複数本のビス１８で固定するとともに、他端を目地カバー本体１３の先端下部内壁面１３ａにカバー板１６を介して複数本のビス１８で固定したほぼＪ字状に取付け、内部に棒状の重り２１を配置した第２の防水手段１７Ａを用いた点で、このように構成した第２の防水手段１７Ａを用いた目地カバー装置１Ａにしても、前記本発明を実施するための第１の形態と同様な作用効果が得られる。
【００２２】
図１２ないし図１４に示す本発明を実施するための第３の形態において、前記本発明を実施するための第１の形態と主に異なる点は、重り２１を所定量以上、下方へ移動するのを阻止できるように重り２１に所定間隔で取付けられた上部にストッパー片２２を有する複数個の吊り具２３と、この複数個の吊り具２３が所定量以上、下がるのを前記ストッパー片２２が当接して阻止する目地カバー本体１３の内壁面１３ａに取付けられた複数個のホルダー２４とを用いた第２の防水手段１７Ｂを用いた点で、このように構成された第２の防水手段１７Ｂを用いた目地カバー装置１Ｂにしても、前記本発明を実施するための第１の形態と同様な作用効果が得られる。
【００２３】
図１５ないし図１７に示す本発明を実施するための第４の形態において、前記本発明を実施するための第１の形態と主に異なる点は、目地カバー本体１３の先端部の内壁面あるいは外壁面に下方へ突出するように複数本のビス１８で固定された取付板２５、この取付板２５の下端部にほぼ中央部が固定的に取付けられたほぼチャンネル状の防水シート取付板２６とからなる防水シート取付金具２７と、この防水シート取付金具２７の防水シート取付板２６に取付けられた第１の防水手段１４Ａの一部を構成する弾力性を有する防水シート１９および、第２の防水手段１７Ｃの一部を構成する弾力性を有する防水シート１９とからなる第１の部防水手段１４Ａと、第２の防水手段１７Ｃとを用いた点で、このように構成した目地カバー装置１Ｃにしても、前記本発明を実施するための第１の形態と同様な作用効果が得られる。
【００２４】
図１８ないし図２０に示す本発明を実施するための第５の形態において、前記本発明を実施するための第１の形態と主に異なる点は、一端部が他方の建物６の屋上のパラペット２８に固定された水切カバー１１に枢支ピン２９で回動可能に取付けられ、他端部が一方の建物２の屋上のパラペット４に固定された水切カバー１１の目地部５側に固定された支持金具３０に左右方向に移動できるように長孔３１を介して取付けられた複数個の目地カバー取付金具１２Ａ、この複数個の目地カバー取付金具１２Ａを覆うように、該複数個の目地カバー取付金具１２Ａに取付けられた目地カバー本体１３Ａとからなる上部躯体８Ａを用いた点で、このように構成された目地カバー装置１Ｄにしても、前記本発明を実施するための第１の形態と同様な作用効果が得られる。
【００２５】
図２１ないし図２３に示す本発明を実施するための第６の形態において、前記本発明を実施するための第１の形態と主に異なる点は、下部躯体３Ａとしての下部建物３２の上部に免震装置３３を介して設けられた上部躯体８Ｂとしての上部建物３４間の目地部５を、前記下部建物３２の外側の上部に固定された水切カバー１１、前記上部建物３４の外側下部に形成した凹部３５に複数本のビス３６で取付けられた第２の防水手段１７、前記凹部３５に複数本のビス１８で固定されたクランク状の取付金具３７および押えレール３８に複数本のビス１８で取付けられた第１の防水手段１４、前記凹部３５を覆うシール３９とを用いた点で、このように構成した目地カバー装置１Ｅにしても、前記本発明を実施するための第１の形態と同様な作用効果が得られる。
【００２６】
図２４ないし図２６に示す本発明を実施するための第７の形態において、前記本発明を実施するための第６の形態と主に異なる点は、免震装置３３を介装した下部躯体３Ａとしての建物４０の上部に外方へ突出する天井材４１と、この天井材４１の上部に位置するように、前記建物４０とは別体に設けられた支柱４２上に取付けられた上部躯体８Ｃとしての屋根４４との間の目地部５に第１の防水手段１４と第２の防水手段１７を用いた点で、このように構成された目地カバー装置１Ｆにしても、前記本発明を実施するための第６の形態と同様な作用効果が得られる。
【００２７】
図２７ないし図２９に示す本発明を実施するための第８の形態において、前記本発明を実施するための第６の形態と主に異なる点は、下部躯体３Ｂとしてのよう壁４５と、このよう壁４５と目地部５を介して上部に位置する免震装置３３上に取付けられた上部躯体８Ａとしての建物６が設けられた部分の目地部５に第１の防水手段１４と第２の防水手段１７を用いた点で、このように構成した目地カバー装置１Ｇにしても、前記本発明を実施するための第６の形態と同様な作用効果が得られる。
【産業上の利用可能性】
【００２８】
本発明は上下部の躯体間の目地部を覆う目地カバー装置を製造する産業で利用される。
【符号の説明】
【００２９】
１、１Ａ、１Ｂ、１Ｃ、１Ｄ、１Ｅ、１Ｆ、１Ｇ：目地カバー装置、
２：一方の建物、      ３、３Ａ、３Ｂ：下部躯体、
４：パラペット、        ５：目地部、  
６：他方の建物、      ７：外壁、
８、８Ａ、８Ｂ、８Ｃ：上部躯体、
９：取付金具、      １０：傾斜面、
１１：水切カバー、
１２、１２Ａ：目地カバー取付金具、
１３、１３Ａ：目地カバー本体、
１４、１４Ａ：第１の防水手段、
１５：取付板、      １６：カバー板、
１７、１７Ａ、１７Ｂ、１７Ｃ：第２の防水手段、
１８：ビス、
１９：防水シートあるいはマグネットシート、
２０：防水シート、      ２１：重り、
２２：ストッパー片、    ２３：吊り具、
２４：ホルダー、      ２５：取付板、
２６：防水シート取付板、    ２７：防水シート取付金具、
２８：パラペット、      ２９：枢支ピン、
３０：支持金具、      ３１：長孔、
３２：下部建物、      ３３：免震装置、
３４：上部建物、      ３５：凹部、
３６：ビス、        ３７：取付金具、
３８：押えレール、      ３９：シール、
４０：建物、        ４１：天井材、
４２：支柱、        ４４：屋根、
４５：よう壁。
【図１】
0005296035.tif 000002
【図２】
0005296035.tif 000003
【図３】
0005296035.tif 000004
【図４】
0005296035.tif 000005
【図５】
0005296035.tif 000006
【図６】
0005296035.tif 000007
【図７】
0005296035.tif 000008
【図８】
0005296035.tif 000009
【図９】
0005296035.tif 000010
【図１０】
0005296035.tif 000011
【図１１】
0005296035.tif 000012
【図１２】
0005296035.tif 000013
【図１３】
0005296035.tif 000014
【図１４】
0005296035.tif 000015
【図１５】
0005296035.tif 000016
【図１６】
0005296035.tif 000017
【図１７】
0005296035.tif 000018
【図１８】
0005296035.tif 000019
【図１９】
0005296035.tif 000020
【図２０】
0005296035.tif 000021
【図２１】
0005296035.tif 000022
【図２２】
0005296035.tif 000023
【図２３】
0005296035.tif 000024
【図２４】
0005296035.tif 000025
【図２５】
0005296035.tif 000026
【図２６】
0005296035.tif 000027
【図２７】
0005296035.tif 000028
【図２８】
0005296035.tif 000029
【図２９】
0005296035.tif 000030